(57)【要約】【課題】収納した状態から横長形状のカメラを迅速に取り出すことができるカメラジャケットを提供すること。【解決手段】カメラジャケット１２は第１ジャケット２０と第２ジャケット２２とでカメラ１４を覆うように構成されている。第１ジャケット２０は第１側部２０Ａと第１下面部２００８を備える。第２ジャケット２２は、上面部２２０２と第２下面部２２０８と左側面部２２１０を備える。第１ジャケット２０は、第１下面部２００８が三脚取り付け用雌ねじ１６５０とねじ部材２８を介してカメラ１４に取着されることでカメラ１４に装着されている。第１下面部２００８と第２下面部２２０８とは可撓可能な紐状の部材３０により連結されている。ファスナー４０が上面部２２０２から左側面部２２１０にわたって設けられている。【選択図】        図３
2004233503.tif 000002
【特許請求の範囲】
【請求項１】
上下の高さよりも左右の幅が大きい横長形状のカメラを保護するカメラジャケットであって、
前記カメラジャケットは、第１ジャケットと第２ジャケットとで前記カメラを覆うように構成され、
前記第１ジャケットは、前記カメラの左右側部のうちの一方の側部に装着される第１側部と、この第１側部に連結されて前記カメラの下部に装着され該カメラの下部に脱着可能に取り付けられる第１下部とを備え、
前記第２ジャケットは、前記カメラの上部を覆う上部と、前記カメラの左右側部のうちの他方の側部を覆う第２側部と、前記カメラの下部を覆う第２下部を含んで構成され、
前記第１ジャケットの第１下部と第２ジャケットの第２下部とは屈曲可能に連結され、
左右方向に延在するファスナーが前記第２ジャケットの上部の全域にわたって設けられ、前記ファスナーを開くとこの開かれたファスナー部分を介して前記カメラの前記第２ジャケットからの取り出しと第２ジャケット内への収納ができるように構成されている、
ことを特徴とするカメラジャケット。
【請求項２】
前記ファスナーは、前記第２ジャケットの対向する開口縁に取着されたエレメントと、これらエレメント上をスライドすることでこれらエレメントの開閉を行うスライダーと、このスライダーに取着された引手とを有し、前記引手に第２ジャケット側係止部材が設けられ、前記ファスナーを全閉した状態で前記第２ジャケット側係止部材に係脱可能な第１ジャケット側係止部材が前記第１ジャケットに設けられ、前記ファスナーを全閉し前記第１ジャケット側係止部材と第２ジャケット側係止部材とを係止することで第２ジャケットのカメラへの装着状態が保持されるように構成されていることを特徴とする請求項１記載のカメラジャケット。
【請求項３】
前記第１下部は、前記カメラの下面に装着される第１下面部を有し、前記第２ジャケットは、前記第１下面部の上からカメラの下面を覆う第２下面部を有し、前記第１下面部と第２下面部とは紐状の部材により連結され、前記第１ジャケットと第２ジャケットは前記紐状の部材により屈曲可能に連結されていることを特徴とする請求項１記載のカメラジャケット。
【請求項４】
前記第１下部は、前記カメラの下面に装着される第１下面部を有し、前記第２ジャケットは、前記第１下面部の上からカメラの下面を覆う第２下面部を有し、前記カメラの一方の側部寄りの前記第１下面部の箇所と、前記カメラの一方の側部寄りの第２下面部の箇所とが紐状の部材により連結され、前記第１ジャケットと第２ジャケットは前記紐状の部材により屈曲可能に連結されていることを特徴とする請求項１記載のカメラジャケット。
【請求項５】
前記カメラの左右側部のうちの他方の側部は、カメラの上面と下面とを接続する凸状の円筒面からなる側面を有し、前記第２ジャケットの第２側部は前記円筒面に近似した曲面を有していることを特徴とする請求項１記載のカメラジャケット。
【請求項６】
前記カメラの下面には三脚取り付け用雌ねじが形成され、前記第１下部の前記カメラへの取り付けは前記三脚取り付け用雌ねじを介してなされていることを特徴とする請求項１記載のカメラジャケット。
【請求項７】
前記第１下部は、前記カメラの下面に装着される第１下面部を有し、前記カメラの下面には三脚取り付け用雌ねじが形成され、前記三脚取り付け用雌ねじに螺合可能な雄ねじと、前記三脚取り付け用雌ねじと同形状の雌ねじが形成された頭部とからなるねじ部材が設けられ、前記第１下部の前記カメラへの取り付けは、前記頭部が第１下面部上に位置し前記雄ねじが前記第１下面部を挿通して前記三脚取り付け用雌ねじに締め付けられることでなされていることを特徴とする請求項１記載のカメラジャケット。
【請求項８】
前記第１下部は、前記カメラの下面に装着される第１下面部を有し、前記カメラの下面には三脚取り付け用雌ねじが形成され、前記三脚取り付け用雌ねじに螺合可能な雄ねじと、前記三脚取り付け用雌ねじと同形状の雌ねじが形成された頭部とからなるねじ部材が設けられ、前記第１下部の前記カメラへの取り付けは、前記頭部が第１下面部上に位置し前記雄ねじが前記第１下面部を挿通して前記三脚取り付け用雌ねじに締め付けられることでなされ、前記第２ジャケットは、前記第１下面部の上からカメラの下面を覆う第２下面部を有し、前記第２下面部は、該第２下面部で前記カメラの下面を覆った状態で前記ねじ部材の頭部が露出するように形成されていることを特徴とする請求項１記載のカメラジャケット。
【請求項９】
前記ファスナーは、前記第２ジャケットの上部から前記第２側部のほぼ上半部にわたって設けられていることを特徴とする請求項１記載のカメラジャケット。
【発明の詳細な説明】
【０００１】
【発明の属する技術分野】
本発明はカメラを保護するカメラジャケット（保護ケースあるいは保護カバー）に関する。
【０００２】
【従来の技術】
従来、例えば、ビデオカメラを保護するジャケットとして、開口からカメラを引き抜き可能に収容する細長い筒状の本体と、前記本体の開口を塞ぐ蓋体とで構成したもの（例えば、特許文献１参照）や、カメラを収容する大きさの単一の袋体にファスナーを設けたもの（例えば、特許文献２参照）などが提供されている。
【０００３】
【特許文献１】
特開平１１−２０６４３３号公報（図１）
【特許文献１】
特開平１−８９０２１号公報（第１図）
【０００４】
【発明が解決しようとする課題】
しかしながら、従来のこの種のジャケットでは、蓋体を外す動作やファスナーを外す動作と、カメラをジャケットから取り出す動作とを別々に行う必要があり、そのためカメラをジャケットから迅速に取り出すことができず、シャッターチャンスを逃がしてしまう不具合があった。
特に、上下の高さよりも左右の幅が大きい横長形状のカメラでは、ファスナーを開けた後に袋状のジャケットから取り出すのに時間が掛かる。
本発明は前記事情に鑑み案出されたものであって、本発明の目的は、横長形状のカメラを迅速に取り出すことができ、シャッターチャンスを逃がさずに撮影できるようにしたカメラジャケットを提供することにある。
【０００５】
【課題を解決するための手段】
本発明は前記目的を達成するため、上下の高さよりも左右の幅が大きい横長形状のカメラを保護するカメラジャケットであって、前記カメラジャケットは、第１ジャケットと第２ジャケットとで前記カメラを覆うように構成され、前記第１ジャケットは、前記カメラの左右側部のうちの一方の側部に装着される第１側部と、この第１側部に連結されて前記カメラの下部に装着され該カメラの下部に脱着可能に取り付けられる第１下部とを備え、前記第２ジャケットは、前記カメラの上部を覆う上部と、前記カメラの左右側部のうちの他方の側部を覆う第２側部と、前記カメラの下部を覆う第２下部を含んで構成され、前記第１ジャケットの第１下部と第２ジャケットの第２下部とは屈曲可能に連結され、左右方向に延在するファスナーが前記第２ジャケットの上部の全域にわたって設けられ、前記ファスナーを開くとこの開かれたファスナー部分を介して前記カメラの前記第２ジャケットからの取り出しと第２ジャケット内への収納ができるように構成されていることを特徴とする。
このような本発明によれば、ファスナーを開く動作と、カメラを第２ジャケットから取り出す動作とを連続的に行え、したがって、カメラを保護することは無論のこと、カメラを第２ジャケットから迅速に取り出しシャッターチャンスを逃がすことなく撮影を行うことができる。
【０００６】
【発明の実施の形態】
以下、本発明の実施の形態を図面に基づいて詳細に説明する。
実施の形態に係るカメラジャケット（保護ケースあるいは保護カバー）１２は、デジタルスチルカメラ保護用のジャケットであり、まず、このデジタルスチルカメラについて説明する。
図８（Ａ）はデジタルスチルカメラの正面図、（Ｂ）は同斜視図を示す。
前記カメラ１４は、上下の高さよりも左右の幅が大きい横長形状のケース１６を備え、前記ケース１６は、前面１６０２、後面１６０４、上面１６０６、下面１６０８、左右の側面１６１０，１６１２を有している。なお、実施の形態の説明においてカメラ１４の左右とは、カメラ１４の後面から見た場合の左右を言うものとする。
【０００７】
前記ケース１６の左右側部のうちの一方の側部（右側部）寄りの上面１６０６にはシャッターボタン１６２０、電源ボタン１６２１が配設され、ケース１６の前面１６０２の上部には、フラッシュ窓１６２２、ファインダレンズ窓１６２４が配設され、ケース１６の前面１６０２の他方の側部（左側部）寄りには、撮影レンズを有しズーム機構が組み込まれた鏡筒１６２８が出没可能に配設され、図中１６３０は各種情報の表示窓を示している。
そして、前記鏡筒１６２８側のケース１６の他方の側面（左側面）１６１０は、前記鏡筒１６２８の左半部を覆うような円筒面で形成されている。
前記一方の側部（右側部）寄りの下面１６０８には、三脚取り付け用の雌ねじ１６５０が形成されている。
【０００８】
次に、カメラジャケット１２について説明する。
図１はカメラにカメラジャケットが装着された状態の正面図、図２、図３はカメラジャケットを取り外す際の説明図、図４（Ａ）、（Ｂ）はカメラに装着されていない状態で第１ジャケットと第２ジャケットとを合わせた状態の平面図、正面図、図５（Ａ）、（Ｂ）はカメラに装着されていない状態で第１ジャケットと第２ジャケットとを合わせた状態の底面図、側面図、図６（Ａ）、（Ｂ）は第１ジャケットの斜視図、（Ｃ）は同底面図、図７（Ａ）、（Ｂ）は第２ジャケットの斜視図、（Ｃ）は同底面図を示す。
前記カメラジャケット１２は、第１ジャケット２０と第２ジャケット２２とでカメラ１４を覆うように構成されている。
前記第１ジャケット２０は、図１乃至図３、図６に示すように、前記カメラ１４のケース１６の右側部に装着される第１側部２０Ａと、この第１側部２０Ａの下端に連結されケース１６の下部に脱着可能に取り付けられる第１下部２０Ｂとを備えている。
前記第１ジャケット２０は、例えば、その形状が保持できるように薄肉の合成樹脂板を合成繊維製の布で挟んで形成されており、防水処理が施されている。
前記第１側部２０Ａは、前記カメラ１４のケース１６の右側面１６１２を覆う側面部２００２と、前記側面部２００２の前縁から屈曲されてケース１６の右側部寄りの前面１６０２を覆う前面部２００４と、前記側面部の後縁から屈曲されてケース１６の右側部寄りの後面１６０４を覆う後面部２００６とを備えている。前記後面部２００６は、右手でケース１６の右側部を掴む際に、親指が掛かり易いように前面部２００４よりも大きい面積で形成されている。
【０００９】
前記側面部２００２には、第１ジャケット側係止部材２４が設けられている。前記第１ジャケット側係止部材２４は面ファスナーで形成されている。また、前記第１ジャケット側係止部材２４よりも下方の側面部箇所には、ストラップやショルダーベルトなどの挿通用金具２６が取着されている。
前記第１下部２０Ｂは、ケース１６の右側部から左側部寄り箇所までの下面１６０８を覆う第１下面部２００８を備えている。
そして、前記三脚取り付け用雌ねじ１６５０に螺合可能な雄ねじ２８０２と、前記三脚取り付け用雌ねじ１６５０と同形状の雌ねじ２８０４が形成された円板状の頭部２８０６とからなるねじ部材２８が設けられ、前記第１下面部２００８は、前記頭部２８０６がケース１６の右側部寄りの第１下面部２００８上に位置し前記雄ねじ２８０２が第１下面部２００８を挿通して前記三脚取り付け用雌ねじ１６５０に締め付けられ、これにより第１ジャケット２０はカメラ１４に取着されている。この場合、前記ねじ部材２８の頭部２８０６には、前記三脚取り付け用雌ねじ１６５０と同形状の雌ねじ２８０４が形成されているので、第１ジャケット２０をカメラ１４に装着したままの状態で三脚を用いて撮影することができる。なお、ねじ部材２８は、第１下面部２００８に回転可能に取り付けられており、雄ねじ２８０２を三脚取り付け用雌ねじ１６５０から外し第１ジャケット２０をカメラ１４から取り外した際に、ねじ部材２８の紛失防止が図られている。
【００１０】
前記第２ジャケット２２は、図１、図２、図７に示すように、前記カメラ１４のケース１６の上部を覆う上部２２Ａと、ケース１６の左側部を覆う第２側部２２Ｂと、前記第１下部２０Ｂの上からケース１６の下部を覆う第２下部２２Ｃを有し、第１ジャケット２０と一緒になってケース１６のほぼ全域を覆うように構成されている。
より詳細には、前記第２ジャケット２２は、ケース１６の上面１６０６を覆う上面部２２０２と、ケース１６の右側部寄りの箇所を除いた前面１６０２を覆う前面部２２０４と、ケース１６の右側部寄りの箇所を除いた後面１６０４を覆う後面部２２０６と、右側部寄りの箇所を除いて前記第１下面部２００８の上からケース１６の下面１６０８を覆う第２下面部２２０８と、ケース１６の左側面１６１０を覆う左側面部２２１０を備えている。そして、上面部２２０２、前面部２２０４、後面部２２０６、第２下面部２２０８の各右縁により第２ジャケット２２の右側部に開口２２１２が形成されている。
【００１１】
前記第２ジャケット２２は、例えば、可撓できるように薄肉のスポンジ板を合成繊維製の布で挟んで形成され、防水処理が施されており、図４、図５（Ａ）に示すように、前記開口２２１２部分は合成繊維製の布２２１２Ａにより補強されている。
前記第１下面部２００８は、前記第１下面部２００８の上からケース１６の下面１６０８を覆った状態で、前記ねじ部材２８の頭部２８０６を露出させる左右長さで形成されている。
前記第１側部２０Ａ寄りの第１下面部２００８箇所と、前記開口２２１２に臨む第２下面部２２０８箇所とは紐状の部材３０により連結されている。本実施の形態では、前記紐状の部材３０は、合成繊維が帯状に織り込まれて形成され、紐状の部材は可撓可能であり、したがって、第２ジャケット２２は、第１ジャケット２０に対して屈曲可能に連結されている。なお、図５（Ａ）、図６（Ｃ）に示すように、紐状の部材３０は、第１下面部２００８に対して、補強部材３００２およびピン３００４を介して強固に取り付けられ、第２下面部２２０８に対しては、該第２下面部２２０８の内部に強固に縫い付けられている。
【００１２】
前記左側面部２２１０はケース１６の左側面１６１０に対応した円筒面に近似した曲面で形成され、前記前面部２２０４と後面部２２０６の左側部はカメラ１４の前後方向から見てほぼ円弧状に形成されている。
そして、左右方向に延在するファスナー４０が上面部２２０２の全域にわたって設けられ、前記ファスナー４０を開くとこのファスナー４０部分を介してカメラ１４の前記第２ジャケット２２からの取り出しと第２ジャケット２２内への収納ができるように構成されている。尚、本実施の形態では、開かれたファスナー４０部分から余裕をもってカメラ１４の取り出しと収納が行なわれるように、ファスナー４０は、図５（Ｂ）に示すように、上面部２２０２から左側面部２２１０のほぼ上半部にわたって設けられている。
前記ファスナー４０は、上面部２２０２および左側面部２２１０の対向する開口縁に取着されたエレメント４００２と、これらエレメント４００２上をスライドすることでこれらエレメント４００２の開閉を行うスライダー４００４と、このスライダー４００４に取着された引手４００６とを含んで構成されている。
前記引手４００６の一方の面に、前記ファスナー４０を全閉した状態で前記第１ジャケット側係止部材２４に係脱可能な第２ジャケット側係止部材５０が設けられている。第２ジャケット側係止部材５０は面ファスナーで構成されている。
そして、開かれたファスナー４０部分を介して第２ジャケット２２の内部にカメラ１４を収納し、ファスナー４０を全閉し前記第１ジャケット側係止部材２４と第２ジャケット側係止部材５０とを係止することで、第２ジャケット２２のカメラ１４への装着状態が保持されるように構成され、言い換えると、カメラ１４はカメラジャケット１２に収納保持されるように構成されている。
【００１３】
本実施の形態のカメラジャケット１２によれば、図１に示すように、第１ジャケット２０と第２ジャケット２２によりカメラ１４の大半を覆った状態でカメラ１４を収納でき、第１ジャケット側係止部材２４と第２ジャケット側係止部材５０とを係止させると第２ジャケット２２のカメラへ１４の装着状態が保持され、言い換えると、カメラ１４がカメラジャケット１２に収納保持され、持ち歩き時にカメラ１４を保護することができる。
【００１４】
また、カメラ１４がカメラジャケット１２に収納された状態から撮影する場合には、図２、図３に示すように、右手でカメラ１４に装着された第１ジャケット２０部分を持ち、左手で引手４００６を掴んで上面２２０２のファスナー４０部分を開き、この引手４００６をそのままカメラ１４の下方に移動させると、第２ジャケット２２はカメラ１４から外れてカメラ１４の下方に移動する。あるいは、右手で第１ジャケット２０部分を持ち、左手で引手４００６を掴んで上面２２０２のファスナー４０部分を開き、この引手４００６が位置する第２ジャケット２２の第２側部２２Ｂを掴んでカメラ１４の下方に移動させると、第２ジャケット２２はカメラ１４から外れてカメラ１４の下方に移動する。そして、カメラ１４から外された第２ジャケット２２は紐状の部材４０によりカメラ１４の下方に垂れ下がる。そこで、カメラ１４の使用者は第１ジャケット２０を持った左手でシャッターボタン１６２０を押せばよい。
【００１５】
すなわち、本実施の形態のカメラジャケット１２によれば、片方の手で第１ジャケット２０を掴みつつ、もう片方の手でファスナー４０を開ける動作に連続して第２ジャケット２２を瞬時に取り外すことができる。
したがって、従来のカメラジャケットのように、蓋体を外す動作やファスナーを外す動作と、カメラをカメラジャケットから取り出す動作とを別々に行う必要はなく、カメラ１４が横長形状であるにも拘わらず、カメラ１４をカメラジャケット１２から迅速に取り出すことができ、シャッターチャンスを逃がすことなく瞬時に撮影を行うことが可能となる。
また、本実施の形態では、横長の端部が円筒面で形成されたカメラ１４のケース１６に合わせ、第２ジャケット２２の左側面部２２１０を曲面で形成したので、第２ジャケット２２の小型化を図りつつ取り外しも円滑になされる。
【００１６】
なお、本実施の形態では、カメラジャケット１２をデジタルスチルカメラに適用した場合について説明したが、本発明は、フィルム式のカメラやビデオカメラなどのような他の形式のカメラにも広く適用される。
【００１７】
【発明の効果】
以上説明したように本発明によれば、カメラを保護できることは無論のこと、収納された状態から横長形状のカメラを迅速に取り出すことができ、シャッターチャンスを逃がさずに撮影できるカメラジャケットが得られる。
【図面の簡単な説明】
【図１】カメラにカメラジャケットが装着された状態の正面図である。
【図２】カメラジャケットを取り外す際の説明図である。
【図３】カメラジャケットを取り外す際の説明図である。
【図４】（Ａ）、（Ｂ）はカメラに装着されていない状態で第１ジャケットと第２ジャケットとを合わせた状態の平面図、正面図である。
【図５】（Ａ）、（Ｂ）はカメラに装着されていない状態で第１ジャケットと第２ジャケットとを合わせた状態の底面図、側面図である。
【図６】（Ａ）、（Ｂ）は第１ジャケットの斜視図、（Ｃ）は同底面図である。
【図７】（Ａ）、（Ｂ）は第２ジャケットの斜視図、（Ｃ）は同底面図である。
【図８】（Ａ）はデジタルスチルカメラの正面図、（Ｂ）は同斜視図である。
【符号の説明】
１２……カメラジャケット、１４……カメラ、１６……ケース、１６５０……三脚取り付け用雌ねじ、２０……第１ジャケット、２２……第２ジャケット、２８……ねじ部材、３０……紐状の部材、４０……ファスナー。
【図１】
2004233503.tif 000003
【図２】
2004233503.tif 000004
【図３】
2004233503.tif 000005
【図４】
2004233503.tif 000006
【図５】
2004233503.tif 000007
【図６】
2004233503.tif 000008
【図７】
2004233503.tif 000009
【図８】
2004233503.tif 000010